(57)【要約】【課題】本開示は、水を濾過するフィルタ装置において、フィルタ装置により捕集された異物を容易に除去できる洗濯機を提供する。【解決手段】本実施の形態におけるドラム式洗濯機は、排水管１９及び排水ホース３５の途中に設けられるケース部材６０と、ケース部材６０内に着脱可能に収納され、排水される水に含まれる異物を捕集するフィルタ部材５０と、を備える。フィルタ部材５０は、フィルタ部材５０の長手方向に延伸する中心部５５と、中心部５５を中心としてＵ字状に延伸する複数の第１の円柱５３及び第２の円柱５４と、を有する。これにより、フィルタ部材５０に捕集された異物は、上向きになぞるだけで第２の円柱５４の端から取り除くことができる。そのため、水を濾過するフィルタ装置を容易に掃除することができるため、フィルタ装置のお手入れ性を向上させることができる。【選択図】図６
2020028398.tif 000002
【特許請求の範囲】
【請求項１】
筐体と、
前記筐体に支持された水槽と、
前記水槽内に配置され、回転自在に設けられるドラムと、
前記水槽から排水された水を外部へと排出する排水経路と、
前記排水経路の途中に設けられるフィルタケースと、
前記フィルタケースの内部に着脱可能に収納され、排水される水に含まれる異物を捕集するフィルタ体と、
を備え、
前記フィルタ体は、
前記フィルタ体の長手方向に延伸する中心部と、前記中心部を中心としてＵ字状に延伸する複数の側部と、を有する、
洗濯機。
【請求項２】
前記フィルタ体は、前記中心部の長手方向に形成されたリブを有し、前記リブは上方に延伸する、
請求項１に記載の洗濯機。
【発明の詳細な説明】
【技術分野】
【０００１】
本開示は、水を濾過するフィルタ装置を備えた洗濯機に関する。
【背景技術】
【０００２】
特許文献１は、洗濯水を濾過するフィルタ装置を備えた洗濯機を開示する。
【０００３】
図７は、特許文献１に記載された従来の洗濯機のフィルタ装置の断面図を示すものである。図７に示すように、フィルタ装置１００は、筒形をなすフィルタケース１５０と、このフィルタケース１５０の内部に収納されたフィルタ体１５１とを備える。また、フィルタ体１５１には、小面積の矩形のフィルタ目を縦横に並設してなる密フィルタ部１５１ａ及び粗フィルタ部１５１ｂが設けられている。フィルタ装置１００は、密フィルタ部１５１ａ及び粗フィルタ部１５１ｂにおいて、通過する洗濯水に含まれる異物を捕集する。
【先行技術文献】
【特許文献】
【０００４】
【特許文献１】特開２００６−２５５３１７号公報
【発明の概要】
【発明が解決しようとする課題】
【０００５】
しかしながら、前記従来の構成では、小面積の矩形のフィルタ目にリントや毛髪等の異物が絡まりつくと、取り除くことが難しいという課題があった。
【０００６】
本開示は、水を濾過するフィルタ装置において、フィルタ装置により捕集された異物を容易に除去できる洗濯機を提供する。
【課題を解決するための手段】
【０００７】
本開示における洗濯機は、筐体と、前記筐体に支持された水槽と、前記水槽内に配置され、回転自在に設けられるドラムと、前記水槽から排水された水を外部へと排出する排水経路と、前記排水経路の途中に設けられるフィルタケースと、前記フィルタケースの内部に着脱可能に収納され、排水される水に含まれる異物を捕集するフィルタ体と、を備え、前記フィルタ体は、前記フィルタ体の長手方向に延伸する中心部と、前記中心部を中心としてＵ字状に延伸する複数の側部と、を有する。
【発明の効果】
【０００８】
本開示における洗濯機は、水を濾過するフィルタ装置において、フィルタ装置により捕集された異物を容易に除去できる。
【図面の簡単な説明】
【０００９】
【図１】本発明の実施の形態１における洗濯機の外観斜視図
【図２】同洗濯機の概略縦断面図
【図３】（ａ）同洗濯機のケース部材の斜視図（ｂ）同洗濯機のフィルタ部材の斜視図
【図４】（ａ）同洗濯機のフィルタ部材の側面図（ｂ）同洗濯機のフィルタ部材の上面図（ｃ）図４（ｂ）のＢ−Ｂ断面図（ｄ）図４（ｂ）のＡ−Ａ断面図
【図５】同洗濯機のケース部材にフィルタ部材が装着された状態における洗濯水の流れを示す模式図
【図６】（ａ）同洗濯機のフィルタ部が異物を捕集した様子の模式図（ｂ）同洗濯機のフィルタ部から異物を取り除く様子の模式図
【図７】従来の洗濯機のフィルタ装置の断面図
【発明を実施するための形態】
【００１０】
以下、適宜図面を参照しながら、実施の形態を詳細に説明する。
【００１１】
（実施の形態１）
本実施の形態１においては、洗濯機として、ドラム式洗濯機を例に説明する。
【００１２】
図１は、実施の形態１における洗濯機の外観斜視図である。
【００１３】
図１に示すように、洗濯機は、略箱状の本体部１と、本体部１に対して開閉自在に設けられた第１扉体３と、第１扉体３の上部に配置された操作部４と、操作部４に隣接して配置された表示部５と、本体部１に対して凹んだ取手部４０に手を入れて引き出し可能に開閉できる洗剤収容容器６と、を備えている。また、本体部１の上面には、後述する給水器２５の一部が露出されている。
【００１４】
操作部４は、操作することで本体部１に電源が投入でき、また、洗い、濯ぎ、脱水など、各種洗濯コースも選択できる。その選択結果や選択した洗濯コースが完了するまでの時間情報、各種洗濯行程進行状況、洗濯完了情報等が表示部５に表示されるようになっている。
【００１５】
続いて、洗濯機の内部について説明する。
【００１６】
図２は、実施の形態１における洗濯機の概略縦断面図である。本体部１の内部には、有底円筒状に形成された水槽１１が、正面側から背面側に向けて中心軸を下向きに傾斜させて配置されている。水槽１１は、下方に配置されたダンパー１５及び上方に配置されたばね体１６により、本体部１に対して揺動自在に防振支持されている。
【００１７】
水槽１１の内部には、有底円筒状の回転ドラム１０が回転自在に内包されている。回転ドラム１０は、外周部に多数の通水孔１４が設けられ、水槽１１内の洗濯水が回転ドラム１０の内外に通過できるようになっている。回転ドラム１０の内壁面には、突起部１３が複数設けられている。この突起部１３は、回転ドラム１０を低速で回転させることにより、衣類を突起部１３で引っ掛けて上方に持ち上げた後、適当な高さで落下させるといった撹拌動作（タンブリング動作）を与える。本実施の形態における洗濯機は、タンブリング動作により、衣類の撹拌たたき洗い、および乾燥動作などを行う。
【００１８】
投入口７は、本体部１の正面に形成されており、水槽１１及び回転ドラム１０の開口と対向している。第１扉体３は、投入口７を覆うように開閉自在に設けられており、使用者は、第１扉体３を開放した状態で投入口７より衣類の出し入れを行うことができる。環状パッキン８は、投入口７と水槽１１との間に配置される。環状パッキン８は、投入口７と水槽１１との間の隙間に衣類が嵌入したり、洗濯水が漏れたりすることを防止する。
【００１９】
モータ１２は、水槽１１の背面側に取り付けられており、水槽１１内の回転ドラム１０を正転、逆転方向に回転駆動する。
【００２０】
制御部２７は、水槽１１の上部に配置されており、プリント基板から構成された制御回路を有する。制御部２７は、モータ等を制御することにより、洗い、濯ぎ、脱水等の一連の洗濯動作を制御する。
【００２１】
洗剤収容部２６は、洗剤収容容器６と、給水部材３０と、送水部材３１と、接続管部材３２から構成される。
【００２２】
給水部材３０には、水道蛇口に接続される給水器２５が接続されている。送水部材３１は、給水部材３０の下方に設けられており、洗剤収容容器６を引き出し可能に保持している。
【００２３】
接続管部材３２は、一端が送水部材３１に接続され、他端は水槽１１に接続される。洗剤収容容器６は、前述したように、本体部１に対して引き出し可能であり、図２では、本体部１から引き出した状態を２点鎖線で示している。
【００２４】
水槽１１の背面側の下部には、排水口１７が設けられており、排水口１７には排水管１９の一端が接続されている。また、排水管１９の他端は、ケース部材６０と接続されており、排水口１７から排出された水をケース部材６０へ導く。ケース部材６０の内部にはフィルタ部材５０が設けられている。ケース部材６０には、排水ホース３５が接続されており、ケース部材６０及びフィルタ部材５０を通過した水を本体部１の外部へと排水する。
【００２５】
また、ケース部材６０には循環ポンプ２１が取り付けられており、水槽１１に設けられた噴出口２３と循環ポンプ２１とを接続するように、循環経路２２が設けられている。
【００２６】
水槽１１の前面下部には、噴射口２３より高い位置に溢水口３６が形成されており、溢水ホース３７の一端が接続されている。また、溢水ホース３７は、ケース部材６０を介して、排水ホース３５に接続されている。
【００２７】
ケース部材６０は本体部１内部に配置されているが、後述するフィルタ部材装着部６５は外部へと露出している。フィルタ部材装着部６５の内部にはフィルタ部材５０が着脱可能に収容されており、端部である把持部５１が外部へと露出している。第２扉体４５は、本体部１下部、フィルタ部材装着部６５、及び把持部５１、を覆うように配置され、本体部１に対して開閉自在に設けられている。ユーザは、第２扉体４５を開いた状態で、ケース部材６０からフィルタ部材５０を取り外し、内部の異物７０を除去することができる。
【００２８】
次に、図３を用いて、ケース部材６０及びフィルタ部５２について説明する。
【００２９】
図３（ａ）は、実施の形態１における洗濯機のケース部材の斜視図、図３（ｂ）は、同洗濯機のフィルタ部材の斜視図である。
【００３０】
ケース流入路６１は、ケース部材６０の上面側に形成され、排水管１９と接続されている。ケース流入路６１は、排水管１９から流入した水をフィルタ部５２に落下させる。コック取付部６４には、排水コック１８が取付けられる。排水コック１８が開状態の場合、ケース部材６０内の水はケース排出路６２へと流入する。ケース排出路６２は、排水ホース３５と接続されており、排水ホース３５を介して流入した水を排出する。循環ポンプ接続部６３には、循環ポンプ２１が取付けられる。溢水経路接続部６６には、溢水ホース３７が接続され、水槽１１に設けられた溢水口３６と連通している。フィルタ部材装着部６５の内側にはネジ山が設けられている。
【００３１】
続いて、図３（ｂ）を用いて、フィルタ部材５０について説明する。
【００３２】
フィルタ部材５０は、主に、把持部５１とフィルタ部５２により構成される。把持部５１は、フィルタ部５２に対して回転自在に設けられている。フィルタ部５２は、把持部５１の背面側に設けられており、ケース部材６０内部に収納されるように形成されている。
【００３３】
把持部５１の側面には、フィルタ部材装着部６５と対応するようにネジ山が形成されており、把持部５１と併せてバヨネット構造を形成している。把持部５１をケース部材６０に対して時計回りに回すと、把持部５１とフィルタ部材装着部６５が螺合する。把持部５１及びフィルタ部材装着部６５の螺合により、フィルタ部材５０は、ケース部材６０に対してロックされて引き抜けなくなる。また、把持部５１をケース部材６０に対して時計回りに回すと、ロックが解除され、フィルタ部材５０が引き抜き可能となる。
【００３４】
次に、図４を用いて、フィルタ部５２について説明する。
【００３５】
図４（ａ）は、実施の形態１における洗濯機のフィルタ部の側面図、図４（ｂ）は、同洗濯機のフィルタ部の上面図、図４（ｃ）は、図４（ｂ）のＢ−Ｂ断面図、図４（ｄ）は、図４（ｂ）のＡ−Ａ断面図である。
【００３６】
土台５７は、把持部５１の背面に設けられている。中心部５５は、土台５７から延伸するように設けられ、先端が上方に向けて傾斜するように、板状に形成されている。
【００３７】
第１の円柱５３は、中心部５５を中心として、中心部５５から左右に延伸するように形成される。第１の円柱５３は、中心部５５から他端にかけて、上方に向けて緩やかに傾斜している。
【００３８】
第１の円柱５３の左右端部には、上方に向けて延伸するように第２の円柱５４が形成されている。第２の円柱５４は、第１の円柱５３と一体となって略コの字を形成する。略コの字状の第１の円柱５３及び第２の円柱５４は、所定の間隔で複数配列されており、中心部５５の長手方向の全体に渡って配置されている。これにより、中心部５５、第１の円柱５３、及び第２の円柱５４は、全体として肋骨状の構造を形成している。
【００３９】
リブ５６は、中心部５５の長手方向に形成されており、中心部５５の中心線上に位置する。リブ５６は、流れ込む水を整流する役割と共に、フィルタ部５２の強度を担保する役割がある。
【００４０】
次に、図５、図６を用いて、本発明の動作・作用について説明する。
【００４１】
図５は、同洗濯機のケース部材にフィルタ部材が装着された状態における洗濯水の流れを示す模式図、図６（ａ）は、同洗濯機のフィルタ部が異物を捕集した様子の模式図、図６（ｂ）は、同洗濯機のフィルタ部から異物を取り除く様子の模式図である。
【００４２】
水槽１１内の水を排水する時、排水コック１８は開状態となる。すると、水槽１１内の洗濯水は、排水管１９を介してケース流入路６１に流入し、ケース部材６０の内部に装着されたフィルタ部５２まで達する。洗濯水は、図５における矢印Ｂのようにフィルタ部５２を通過し、ケース排出路６２及び排水ホース３５を介して外部へと排出される。
【００４３】
一方、循環ポンプを利用する時には、排水コック１８は閉状態となる。循環ポンプ２１を動作させると、循環ポンプ２１の動作により循環ポンプ接続部６３から水が吸引され、フィルタ部５２へと送り込まれる。送り込まれた洗濯水は、フィルタ部５２を経た後、図５における矢印Ｃのように、循環ポンプ接続部６３を通り、再び水槽１１に供給される。このように、洗濯水を濾過した上で循環させることにより、水の使用量を抑制しつつ洗浄能力を高めることができる。
【００４４】
排水の場合であっても、循環ポンプを用いる場合であっても、洗濯水に含まれる異物７
０はフィルタ部５２により捕集される。具体的には、中心部５５先端部の上方から落下した洗濯水は、右方へと移動しながら、第２の円柱５４と隣の第２の円柱５４との隙間又は第１の円柱５３と隣の第１の円柱５３の隙間から外部に排出される。リントや毛髪等の異物７０は、第２の円柱５４又は第１の円柱５３の隙間を通過する時、第２の円柱５４又は第１の円柱５３に絡みつく。異物７０を放置するとカビや異臭発生の原因となるため、ある程度の異物７０がフィルタ部５２内に溜まったら、フィルタ部５２のお手入れが必要となる。
【００４５】
次に、図６を用いて、フィルタ部材５０のお手入れ方法と、フィルタ部材５０による作用について説明する。
【００４６】
初めに、ユーザは、第２扉体４５を開いてフィルタ部材５０を取り出す。前述の通り、フィルタ部材５０は、把持部５１を所定方向に回転させてロックを解除し、手前に引くことで取り外すことができる。なお、取り外されたフィルタ部材５０は、フィルタ部材装着部６５に挿入し、前述の所定方向とは反対方向に回転させることでロックすることができる。
【００４７】
続いて、第２の円柱５４又は第１の円柱５３により捕集された異物７０を、爪や指先、又は歯ブラシなどの日用品で上向きになぞる。第２の円柱５４及び第１の円柱５３は一続きに形成されているため、ユーザは、上向きになぞるだけで容易に異物７０を集めることができ、第２の円柱５４の端から異物７０を取り除くことができる。
【００４８】
上向きになぞるだけでは異物７０が取りきれない場合には、第１の円柱５３の裏面から水流を加えるとよい。水流を加えることで、異物７０が第２の円柱５４に沿って移動するため、なぞるだけでは取れなかった細かい異物７０をも除去することができる。
【００４９】
また、異物７０が中心部５５に巻き付くと、上向きになぞるだけでは異物７０を除去することが難しい。しかし、中心部５５上にはリブ５６が形成されているため、中心部５５に巻き付くように異物７０が捕集されることを抑制できる。例え、異物７０が中心部５５に巻き付いてしまったとしても、中心部５５とリブ５６との間に隙間ができるため、ハサミで異物７０を切断して取り除くことができる。
【００５０】
本実施の形態では、フィルタ部５２の底部に第１の円柱５３を設けたことにより、底部においても異物７０を捕集できる。また、第１の円柱５３の隙間を介して水流が底部を通過するため、排水流量を確保することができる。
【００５１】
また、フィルタ部５２の内部に流入した水流は、リブ５６を避けるように左右へ分割され、第２の円柱５４又は第１の円柱５３から外へ排出される。これにより、中心部５５において渦水流が生じることを抑制し、更に、水がフィルタから受ける抵抗を低減することができる。
【００５２】
以上のように、本実施の形態におけるドラム式洗濯機は、本体部１と、本体部１に支持された水槽１１と、水槽１１内に配置され、回転自在に設けられる回転ドラム１０と、水槽１１から排水された水を外部へと排出する排水管１９及び排水ホース３５と、排水管１９及び排水ホース３５の途中に設けられるケース部材６０と、ケース部材６０内に着脱可能に収納され、排水される水に含まれる異物７０を捕集するフィルタ部材５０と、を備える。フィルタ部材５０は、フィルタ部材５０の長手方向に延伸する中心部５５と、中心部５５を中心としてＵ字状に延伸する複数の第１の円柱５３及び第２の円柱５４と、を有する。
【００５３】
これにより、フィルタ部材５０に捕集された異物７０は、上向きになぞるだけで第２の円柱５４の端から取り除くことができる。そのため、水を濾過するフィルタ装置を容易に掃除することができるため、フィルタ装置のお手入れ性を向上させることができる。
【００５４】
また、本実施の形態のように、フィルタ部材５０は、中心部５５の長手方向に形成されたリブ５６を有し、リブ５６は上方に延伸するようにしてもよい。
【００５５】
これにより、中心部５５において渦水流が生じることを抑制し、更に、水がフィルタから受ける抵抗を低減することができる。そのため、フィルタ部材５０において水流の速度が低下することを抑制することができる。
【００５６】
（他の実施の形態）
以上のように、本出願において開示する技術の例示として、実施の形態１を説明した。しかしながら、本開示における技術は、これに限定されず、変更、置き換え、付加、省略などを行った実施の形態にも適用できる。
【００５７】
そこで、以下、他の実施の形態を例示する。
【００５８】
本実施の形態では、ドラム式洗濯機を例にとり説明した。しかしながら、本発明の洗濯機は、ドラム式洗濯機に限定されず、パルセータ式洗濯機であってもよいし、二層式洗濯機であってもよい。
【００５９】
本実施の形態では、側部として、第１の円柱５３及び第２の円柱５４を説明した。側部は、中心部を中心としてＵ字状に延伸していればよいので、円柱に限定されず、角柱であってもよいし、板状であってもよい。
【００６０】
本実施の形態では、第２の円柱５４と第１の円柱５３の為す形状は、略コの字であると説明した。しかしながら、第２の円柱５４と第１の円柱５３の為す形状は、コの字状に限定されず、丸みを帯びたＵ字であってもよいし、半円状であっても構わない。また、左右の第１の円柱５３は、左右が一直線となるように形成されたものに限定されず、互い違いとなるように配置されていても構わない。また、第２の円柱５４のそれぞれの長さは一定であっても構わないし、まちまちの長さであっても構わない。
【産業上の利用可能性】
【００６１】
以上のように、本発明にかかる洗濯機は、水を濾過するフィルタ装置において、フィルタ装置により捕集された異物を容易に除去できるので、ドラム式洗濯機、パルセータ式洗濯機、二層式洗濯機等に適用できる。
【符号の説明】
【００６２】
１  本体部
３  第１扉体
４  操作部
５  表示部
７  投入口
１０  回転ドラム
１１  水槽
４５  第２扉体
５０  フィルタ部材
５１  把持部
５２  フィルタ部
５３  第１の円柱
５４  第２の円柱
５５  中心部
５６  リブ
５７  土台
６０  ケース部材
６１  ケース流入路
６２  ケース排出路
６３  循環ポンプ接続部
６４  コック取付部
６５  フィルタ部材装着部
６６  溢水経路接続部
７０  異物
【図１】
2020028398.tif 000003
【図２】
2020028398.tif 000004
【図３】
2020028398.tif 000005
【図４】
2020028398.tif 000006
【図５】
2020028398.tif 000007
【図６】
2020028398.tif 000008
【図７】
2020028398.tif 000009